(57)【要約】  フラットパネル表示装置用の自動平衡式調整可能マウント・システム。中空の球状外殻部を有した表示装置インタフェースは、フラットパネル表示装置に取り付けられている。表示装置インタフェースは、球状外殻の外面に係合する軸受部と、球状外殻の内面に係合する第２の軸受部とを有した案内構造に受容されている。球状外殻は、第１および第２の軸受部間を案内され、その結果、フラットパネル表示装置および装置インタフェースは、半球状外殻の曲率半径の中心回りに概して回転可能である。摩擦調整機構は、第１および第２の軸受部と球状外殻との間の摩擦の大きさの選択的な調整を可能にし、その結果、フラットパネル表示装置は、所定の位置に固定されることを可能とされ、接触または他の要因による表示装置の望ましくない動作が禁じられる。
2008546034.tif 000002
【特許請求の範囲】
【請求項１】
非水平固定構造上に取り付けるように構成された調整可能フラットパネル電子表示装置システムであって、
前記固定構造に取り付けるように構成された支持構造と、
フラットパネル電子表示装置と、
該フラットパネル電子表示装置をそれに受容する装置インタフェース部と、該装置インタフェース部は、球状部を備え、該球状部は、内面と、外面と、前記球状部から径方向外方に延びるフランジ部とを有し、該フランジ部は、前記装置インタフェース部を前記フラットパネル電子表示装置に結合するための締結具を受容する少なくとも１つの開孔を規定する構造を有し、前記球状部は、開孔を規定し、開孔周囲を与える構造を有することと、
前記装置インタフェース部および前記支持構造を操作可能に結合する案内構造と、該案内構造は、前記球状部の外面に摩擦係合し、該外面を案内する第１の軸受部と、該第１の軸受部との係合状態に前記装置インタフェース部を保持するように、前記球状部の内面に摩擦係合し、案内する保持部とを備え、前記第１の軸受部および前記保持部は、共に前記球状部にクランプ力を付与し、前記保持部は、前記第１の軸受部および前記保持部によって前記球状部に付与されたクランプ力の大きさを変更するように、前記第１の軸受部に対して選択的に調整可能に位置変更することができることと、
周囲を与える回転可能な摩擦調整用ノブを備え前記周囲の近傍に配置された複数の指つまみ可能な欠刻を有した摩擦調整機構と、前記摩擦調整用ノブは、該摩擦調整用ノブが回転するときに前記保持部を選択的に位置変更するように前記保持部に螺合され、それによって前記第１の軸受部および前記保持部に対する前記球状部の動作に抗する摩擦の大きさが、前記摩擦調整用ノブによって選択的に調整可能であることとを備えるシステム。
【請求項２】
非水平固定構造上に取り付けるように構成された自動平衡式調整可能フラットパネル電子表示装置システムであって、
前記固定構造に取り付けるように構成された支持構造と、
フラットパネル電子表示装置と、
該フラットパネル電子表示装置をそれに受容する装置インタフェース部と、前記フラットパネル表示装置は、重心を有し、前記装置インタフェース部は、概して一定の曲率半径を持った外面を有した球状部と、該球状部から径方向外方に延びたフランジ部とを備え、該フランジ部は、前記装置インタフェース部を前記フラットパネル電子表示装置に結合するように締結具を受容する少なくとも１つの開孔を規定する構造を有し、前記球状部の曲率半径は、前記フラットパネル表示装置の重心に近接した中心を規定することと、
前記装置インタフェース部および前記支持構造を操作可能に結合する案内構造と、該案内構造は、前記球状部の外面に摩擦係合し、該球状部を案内する第１の軸受部と、該第１の軸受部との係合状態に前記装置インタフェース部を保持する保持部とを有し、前記フラットパネル電子表示装置は、実質的に等しい作動力によって前記球状部の曲率半径の中心回りに、ロール、ピッチ、およびヨーにおいて選択的に回転可能に位置決めすることができることと、
前記第１の軸受部と前記球状部の外面との間の摩擦力の大きさを選択的に調整する手段とを備えるシステム。
【請求項３】
ここに記述および図示されるような摩擦調整を備えたフラットパネル電子表示装置マウント。
【発明の詳細な説明】
【技術分野】
【０００１】
本発明は、電子表示装置用のマウントを目的とし、特に、プラズマおよび液晶表示装置スクリーンのようなフラットパネル用電子表示装置を垂直構造上に取り付ける装置を目的とする。
【背景技術】
【０００２】
フラットパネル表示装置は、投影装置およびＣＲＴのますます一般的な代替品になってきている。フラットパネル表示装置は、典型的には、壁のような構造物に取り付けられる。フラットパネル表示装置、特にＬＣＤ表示装置は、典型的には、当該表示装置の真っすぐ前の位置からが最も明瞭に見える。大きな角度から見られる場合には、表示画像は、多くの場合には暗すぎるかまたはまったく見えない。
【０００３】
このように、フラットパネル表示装置の角度は、最適な視界のために調整されることができることが好ましい。摩擦ベースのヒンジ、バネ、または他の付勢装置を持った機械的リンク、および様々な機械的ラッチのような様々な先行技術の位置決め装置が使用されている。摩擦ベースの装置は、操作するのが簡単である一方で、比較的に重いフラットパネル表示装置を保持するために十分な強度が必要である。
【０００４】
従来の摩擦ベースの装置および機械的ラッチは、正しい角度にフラットパネル表示装置を保持するのに１人が多くの場合には必要である一方で、別の人が当該装置を調整する。上方への動作は、フラットパネル表示装置の重量の実質的な部分を持ち上げることをオペレータに要求する。幾つかの例では、オペレータは、位置決め装置の抵抗力にも打ち勝たなければならない。
【０００５】
さらに、従来装置において使用されるヒンジおよび揺動関節は、典型的には、１つの関節当たり一軸方向みに対する表示装置の位置決めを可能にしている。そのような装置の表示位置調整可能性の程度は、経済上および実用上、設けられることができる関節の数によって制限される。
【０００６】
バネを備えた機械的リンクは、作るのが高価である。たとえば、米国特許第６，４１９，１９６号（スウェリーら）は、窒素ガス・バネ平衡機構を使用するフラットパネル表示装置を支持および位置決めするための多関節、揺動軸支持アームを開示している。
【発明の開示】
【発明が解決しようとする課題】
【０００７】
産業界において必要なものは、安価であり、操作が容易であり、そして、比較的に保守不要な、フラットパネル表示装置を取り付け且つ位置決めするためのシステムであって、それは、表示装置の位置決めのために高い程度の調整可能性も提供するものである。
【課題を解決するための手段】
【０００８】
本発明は、産業界の上記の必要性を実質的に充足するフラットパネル表示装置用のマウント・システムである。中空の半球状外殻部を有した表示装置インタフェースは、フラットパネル表示装置に取り付けられている。半球状外殻は、概して一定の曲率半径が形成されている。曲率半径の中心は、表示装置インタフェースが取り付けられたフラットパネル表示装置の重心に近接して配置されている。表示装置インタフェースは、半球状外殻の外面に係合する軸受部と、半球状外殻に形成された開孔を通じて半球状外殻の内面に係合する第２の軸受部とを有した案内構造に受容されている。半球状外殻は、第１および第２の
軸受部間を案内され、その結果、フラットパネル表示装置および装置インタフェースは、半球状外殻の曲率半径の中心回りに概して回転可能である。
【０００９】
上述した構成によって、フラットパネル表示装置は、マウント内の半球状外殻の動作範囲内の事実上無限数の位置に配置されることが可能である。表示装置および装置インタフェースの重心に近接する表示装置の回転中心の位置は、自動平衡を可能にし、その結果、事実上等しい作動力が、任意の位置に表示装置の位置決めをするために必要であり、また、比較的低い作動力で個々のユーザが位置決めを達成することができる。
【００１０】
本発明によれば、固定構造上に取り付けるように構成された自動平衡式調整可能フラットパネル電子表示装置システムが提供される。本システムは、固定構造に取り付けるように構成された支持構造と、装置インタフェース部をそれに備えたフラットパネル電子表示装置とを備えている。フラットパネル表示装置および装置インタフェース部は、共に重心を有している。装置インタフェース部は、重心に近接する中心を持った概して一定の曲率半径を備える外面を有した半球状部を備えている。さらに、本システムは、装置インタフェース部および支持構造に操作可能に結合された案内部を備えている。案内部は、半球状部の外面に係合し、該外面を案内する第１の軸受部と、該第１の軸受部との係合状態に装置インタフェース部を保持する保持部とを有している。フラットパネル表示装置および装置インタフェース部は、半球状部の曲率半径の中心回りに回転可能である。
【００１１】
実施の形態において、摩擦調整機構は、第１および第２の軸受部と球状外殻との間の摩擦の大きさの選択的な調整を可能にし、その結果、フラットパネル表示装置が、所定の位置に固定されることを可能とされ、接触または他の要因による表示装置の望ましくない動作が禁じられる。
【発明を実施するための最良の形態】
【００１２】
本発明の自動平衡式調整可能マウント・システム１０は、図１〜８に図示されている。システム１０は、概して、フラットパネル表示装置１２、マウント１４、および支持構造１６を備えている。支持構造１６は、壁１８のような任意の固定構造に取り付け可能である。
【００１３】
マウント１４は、概して、装置インタフェース２０および案内構造２２を備えている。装置インタフェース２０は、概して、マウント板部２４および半球状外殻部２６を備えている。半球状外殻部２６は、外面２８と、内面３０と、外殻２６を通じて形成された開孔３２とを有している。半球状外殻部２６は、外殻２６のすべての湾曲部に亘って共通中心３６から規定された概して一定の曲率半径３４を有している。
【００１４】
マウント板２４は、フラットパネル表示装置１２に取り外し可能に取り付けることができる。ネジ切りされた締結具３８は、アダプタ板４２におけるスロット４０を通じて延び、フラットパネル表示装置１２の穴４４に螺合している。スロット４０によって、アダプタ板４２は、フラットパネル表示装置１２に鉛直に位置決めされることが可能であり、その結果、さらにここで下に議論されるように、表示装置の重心近傍への中心３６の位置決めを可能とする。代替のスロット４６は、アダプタ板４２が、穴４４の代替の位置決めを有することがある様々な製造およびモデルのフラットパネル表示装置１２と対になることを可能にするように設けられることが可能である。
【００１５】
締結ボタン４８は、締結具５０によってアダプタ板４２に固定される。締結ボタン４８は、頭部５２、基部５４、および狭くなっているシャンク部５６を有し、スロット５８を規定している。スロット５８は、マウント板２４の縁部６０を受容するような大きさとされている。マウント板２４は、締結ボタン４８の位置に対応する複数のノッチ６２を有し
ている。マウント板２４がそれぞれの締結ボタン４８のシャンク部５６に係合するノッチ６２を備え、且つ、それぞれの締結ボタン４８の頭部５２と基部５４との間に捕らえられるマウント板２４の縁部を備えた位置に摺動されることが可能なように、ノッチ６２は配置される。この位置のマウント板２４によって、ラッチ機構６４は、締結ボタン４８のうちの１つの頭部５２上の位置に揺動されることが可能であり、それによってマウント板２４を所定の位置に固定する。上述した構成に加えて、マウント板２４をフラットパネル表示装置１２に直接固定する締結具を含む、マウント板２４をフラットパネル表示装置１２に取り付ける任意の他の適切な構成が使用されることが可能である。
【００１６】
案内構造２２は、概して、外側案内部６６と、内側案内部６８の形態の保持部６７とを備えている。外側案内部６６は、一対の突出した突起７２を備えたボス部７０を有している。ボス部７０は、半球状外殻部２６における開孔３２を通じて延びている。ボス部７０は、内部にネジ部７６を備えた穴７４を有している。さらに、外側案内部６６は、少なくとも１つの軸受部７８を有しており、それは、半球状外殻部２６の外面２８と接触し、装置インタフェース２０およびフラットパネル表示装置１２の回転動作を案内する作用をなしている。図３および図５に図示されるように、軸受部７８は、外側案内部６６の周囲８４でのリップ部８２内に嵌合した環状ストリップ８０であることが可能である。この実施の形態において、軸受部７８は、外面２８との摺動係合状態にある。軸受部７８は、適切な摩擦および耐久性特性を有した任意の材料から作られることが可能であるが、超高分子量ポリエチレン（ＵＨＭＷＰＥ）が、その優れた潤滑性、耐摩耗性、強靭性および応力亀裂の非存在性のために使用されることが現状では好ましい。
【００１７】
外面２８を備えた軸受部７８の摩擦接触に代えて、玉軸受機構８６が、回転接触を提供するように軸受部７８の代わりに使用されることが可能である。図７に図示されるように、玉軸受機構８６は、概して、複数の玉軸受９０を収容したレース部８８を備えている。玉軸受９０は、レース部８８のソケット９２内で回転する。
【００１８】
内側案内部６８は、概して、保持板９４および軸受部９６を備えている。軸受部９６は、一対のローブ１００を持った中心開孔９８を有しており、それは、ボス部７０の突起７２を受容するように合致して形成されている。保持板９４は、軸受部９６上に取り付けられ、中心開孔１０２を有している。ブッシング１０４は、保持板９４の中心開孔１０２と、軸受部９６の中心開孔９８とを通じて嵌合し、ボス部７０の穴７４に延びている。ブッシング１０４は、保持板９４の縁部１０８に係合するリップ部１０６を有している。締結具１１０は、ブッシング１０４を通じて延び、ボス部７０のネジ部７６に螺合し、それによって内側案内部６８を外側案内部６６に固定している。
【００１９】
軸受部９６は、半球状外殻部２６の内面３０に摺動可能に係合し、装置インタフェース２０および取り付けられたフラットパネル表示装置１２の回転のための付加的な案内としての作用をなす。図示された摺動接触の実施の形態において、軸受部９６は、この用途におけるその特定の所望の特性のために、ＵＨＭＷＰＥ材料から形成されることが好ましい。再び、回転接触を提供する玉軸受構成のような他の適切な機構がこの形態において使用されることができることが予想される。
【００２０】
マウント１４は、任意の適切な支持構造１６に取り付け可能なように作られることが可能である。図１および図２に図示されるように、支持構造１６は、揺動アーム・アセンブリ１１０であることが可能である。揺動アーム・アセンブリ１１０は、概して、内側アーム１１２、外側アーム１１４、およびマウント・ブラケット１１６を備えている。外側アーム１１４は、上方に向けられた拡大部１２０と共に、孔１１８を有している。案内構造２２は、下方に向けられた拡大部１２４を備えた対応する孔１２２を有している。ブッシング１２６は、拡大部１２０および１２４内に嵌合し、そこで回転可能である。このよう
に、マウント１４は、図２において矢符によって示されるように、外側アーム１１４に対して水平方向に回転調整可能である。
【００２１】
締結具１２８は、孔１１８、ブッシング１２６、および孔１２２を通じて延び、外側アーム１１４の底側１３２の凹部１３０に出る。締結具１２８は、頭部１３４を有しており、それは、案内構造２２の上側１３８に形成された凹部１３６に受容されている。一または複数の摩擦ワッシャ１４０は、頭部１３４と案内構造２２との間に設けられることが可能であり、その結果、大きさを調整可能な摩擦が、外側アーム１１４に対して案内構造２２の揺動に抗するために加えられることを可能にする。ナット１４２は、締結具１２８に螺合され、その結果、締めることによって摩擦ワッシャ１４０への軸方向圧力を加えることを許容する。摩擦ワッシャ１４４は、関節に滑らかな回転を提供するために、マウント１４と外側アーム１１４との間に設けられることが可能である。外側アーム１１４の底側１４５が開いているので、底板１４５ａは、審美的な目的のための外側アーム１１４を囲むために、および、該アームの内部を通ることがある任意のケーブルまたはワイヤを保持するために、図示されるような締結具１４５ｂによって添付されることが可能である。
【００２２】
同様の構成は、外側アーム１１４を内側アーム１１２に回転可能に取り付けるために使用されることが可能である。外側アーム１１４は、下方に向けられた拡大部１４８（図示せず）を備えた孔１４６を有している。内側アーム１１２は、上方に向けられた拡大部１５２を備えた孔１５０を有している。ブッシング１５４は、拡大部１４８および１５２内に回転可能に嵌合している。締結具１５６は、孔１４６および１５０を通じて、また同様にブッシング１５４を通じて延びている。締結具１５６は、内側アーム１１２および外側アーム１１４を共に保持するようにナット１５８によって所定の位置に固定されることが可能である。一または複数の摩擦ワッシャ１６０，１６２が、先のように設けられることが可能である。再び、内側アーム１１２の下側１６３が開いているので、底板１６３ａは、審美的な目的のために外側アーム１１２を囲むために、また、該アームの内部に通すことがある任意のケーブルまたはワイヤを保持するために、図示されるような締結具１６３ｂによって添付されることが可能である。
【００２３】
マウント・ブラケット１１６は、図８に図示され、概して、ブラケット部１６４およびハンガー板１６６を備えている。ハンガー板１６６は、開孔１６８を通じて挿入された締結具を使用して壁のような固定構造に固定されることが可能である。ブラケット部１６４は、ハンガー板１６６の縁部１７４を受容する、ハウジング１７２内の溝１７０を有している。
【００２４】
内側アーム１１２のような揺動アームは、内側アーム１１２を外側アーム１１４に接続する上述したのと同一の構成によってマウント・ブラケット１１６に固定されることが可能である。ブラケット部１６４は、上方に向けられた拡大部１７８を備えた孔１７６を有している。内側アーム１１２は、下方に向けられた拡大部１８２を備えた孔１８０を有している。再び、ブッシング１８４は、拡大部１７８，１８２に回転可能に嵌合している。締結具１８６、ナット１８８、および摩擦ワッシャ１９０，１９２は、揺動アームをブラケットに固定している。
【００２５】
マウント・ブラケット１１６は、上述したような構造にハンガー板１６６をまず設置することによって固定構造に固定されることが可能である。所定の位置にあるハンガー板１６６によって、ハウジング１７２は、それを覆うようにハンガー板１６６上に配置される。ハウジング１７２は、下方に摺動され、それによってハンガー板１６６の縁部１７４を溝１７０に係合させ、ブラケット部１６４およびハンガー板１６６を共に固定する。ネジ１９４をセットし、孔１９６を通じて螺合し、そして、ナット１９８によって固定することは、ブラケット部１６４の上向きの摺動動作を防止し、それによってブラケット部１６
４がマウント・ブラケット１６６から係合解除することを防止する。
【００２６】
図６は、典型的な方法で、マウント１４に取り付けられたフラットパネル表示装置１２の側面図を示している。フラットパネル表示装置１２および装置インタフェース２０は、共に、２００と注釈を付けた実際の重心を有している。上述したように、半球状外殻部２６は、共通中心３６を持った一定の曲率半径３４を有している。装置インタフェース２０は、曲率半径３４の中心３６が実際の重心２００に可能なだけ近くに位置するように好ましくは配置されている。
【００２７】
勿論、実際の重心２００の位置が、マウント・システムに取り付けられた特定のフラットパネル表示装置１２の重量分布に依存して変化するであろうことは容易に認識されるであろう。本発明の目的のために、仮想重心２０２は、実際の重心２００をその中心に有した球状容積２０４によって近接されることが可能である。
【００２８】
さて、本発明の動作は、図１〜図８を参照して理解されることが可能である。上述したように、半球状外殻部２６は、案内構造２２の外側案内部６６と内側案内部６８との間に捕らえられている。これらの案内部６６，６８は、半球状外殻２６の面２８，３０に係合するそれぞれの軸受部７８，９６を有している。半球状外殻２６は、軸受部７８，９６によって案内され、外側案内部６６と内側案内部６８との間で動作可能である。
【００２９】
フラットパネル表示装置１２の位置を調整するために、ユーザは、フラットパネル表示装置１２の周囲２０６の任意の部分を押すかまたは引くことが可能である。加えられた力は、半球状外殻２６が軸受部７８，９６間を通るときに、フラットパネル表示装置１２および装置インタフェース２０を中心３６回りに回転させる。実際の重心２００を近接する仮想重心２０２内の中心３６の位置によって、フラットパネル表示装置１２は、自動平衡を可能とされ、これによって任意の特定の方向における位置決めのために大きな作動力を要求されることがない。この構成は、案内構造２２内の半球状外殻２６の動作範囲内の任意の方向への回転運動を可能にし、これによってフラットパネル表示装置１２が事実上無限数の向きに位置決めされることを可能にする。
【００３０】
幾つかの場合には、たとえば意図しない接触による望ましくない動作を防止するために、フラットパネル表示装置の位置を支持構造に対して固定することが望ましいことがある。図９〜図１２を参照して、望ましくない動作を防止するために支持構造に対してフラットパネル表示装置の位置を選択的に調整可能に固定するための摩擦調整を備えた本発明のマウント２２０の代替の実施の形態が図示されている。マウント２２０は、概して、装置インタフェース２２２および案内構造２２４を備えている。装置インタフェース２２２は、概して、横方向に突出したフランジ２２８を持った球状外殻部２２６を備えている。球状外殻部２２６は、外面２３０、内面２３２を与え、それを通じて形成された開孔２３４を有している。球状外殻部２２６は、先に記述したような外殻２２６のすべての湾曲部に亘って共通中心から規定される概して一定の曲率半径を有することが可能である。
【００３１】
フランジ２２８は、フラットパネル表示装置１２に取り外し可能に取り付けることができる。ネジ切りされた締結具２３６は、フランジ２２８における鍵穴状スロット２３８を通じて延び、フラットパネル表示装置１２の対応する穴に螺合される。必要に応じて、フランジ２２８がフラットパネル表示装置から離隔されることを可能にするように、スペーサ２４０が、ネジ切りされた締結具２３６上に設けられることが可能である。図１０に示されるように、鍵穴状スロット２３８の狭くなっている部分２４２は、装置インタフェース２２２が任意の所望の向きとされることを可能にするために、フランジ２２８の反対側において、互いに対向させることが可能である。
【００３２】
案内構造２２４は、概して、外側案内部２４４および保持部２４６を備えている。外側案内部２４４は、概して、後方柱状部２４８と、上側ブリッジ部２５２および下側ブリッジ部２５４によって結合されたカップ部２５０とを備えており、開孔２５６を規定している。柱状部２４８は、先に記述したような案内構造２２４を支持構造２６０に揺動可能に取り付けるために、それを通じて垂直に形成され、ボルト２５８を受容する孔２５６を有している。
【００３３】
カップ部２５０は、凹部２６４内に突出した中央ボス構造２６２を有している。ボス２６２には、図１０および図１２に図示されるような概して楕円形断面が与えられることが可能である。孔２６６は、端部２６８からボス部２６２を通じて延び、開孔２５６で終了している。カップ部２５０は、球状部２２６の外面２３０に接触し、該外面２３０を案内する全周囲２７２に延びた軸受部２７０をさらに有している。
【００３４】
保持部２４６は、概して、内側軸受部２７６を有した保持板２７４と、保持ボルト２７８とを備えている。保持板２７４は、ボス２６２の楕円形断面を受容する、それを通じて規定された楕円形の中央孔２８０を有しており、それによってボス２６２上での保持板２７４の回転を防止している。さらに、保持板２７４は、一対の平面２８４を備えた外側凹部２８２を有している。ボルト２７８は、板頭部２８６およびネジ切りされたシャンク２８８を有している。ネジ切りされたシャンク２８８は、ボス２６２の孔２８０を通じて開孔２５６内に延びている。ノブ２９０は、シャンク２８８を螺合受容するネジ孔２９２を有している。板頭部２８６は、ボルト２７８を保持板２７４およびボス２６２に回転ロックするために、平面２８４に係合する平面２９４を有している。ノブ２９０は、ノブ２９０の回転を容易にするために、指で掴むことが可能な複数の欠刻２９５ａを備えた周囲２９５を与えている。
【００３５】
動作において、ノブ２９０は、いずれの回転方向にも回転することが可能であり、ボルト２７８のシャンク２８８上を螺進する。その結果、ボルト２７８の頭部２８６は、ノブ２９０の回転方向に依存して、保持板２７４がカップ部２５０および軸受部２７０の方へ引かれるか、または、これらから離れるように押されるようにする。したがって、カップ部２５０の軸受部２７０と保持板２７４の内側軸受部２７８とによって、与えられたクランプ力が変更され、その結果、軸受部２７０，２７６と球状部２２６との間の摺動摩擦の比例的な変化を生じさせる。球状部２２６に最小のクランプ力を加えるようにノブ２９０が緩められることによって、フラットパネル表示装置は、ここで上述したような任意の所望の位置に位置調整されることが可能であり、任意の回転方向における実質的に同一の作動力によってなされる前記位置調整は、フラットパネル表示装置の重心に近接する球状部の曲率半径の中心の位置に恩恵を受けている。所望の位置に達したときに、ノブ２９０は、球状部２２６の外面および内面に対してしっかりと軸受部２７０，２７６をクランプするように締められることが可能であり、支持構造に対するフラットパネル表示装置の動作に対する摩擦抵抗を増大させる。
【００３６】
再び、マウント２２０は、揺動アーム・アセンブリ２９６のような適切な支持構造２６０に取り付け可能なように作られることが可能である。揺動アーム・アセンブリ２９６は、概して、内側アーム２９８、外側アーム３００、およびマウント・ブラケット・アセンブリ３０２を備えている。外側アーム３００は、上方に向けられた穴３０６を備えた遠位端３０４を有している。軸３０８は、穴３０６内に嵌合したブッシング３１０内に受容され、そこから上方へ延びている。案内構造２２４の穴２５６は、ブッシング３１２に軸３０８を受容する、下方に向けられた拡大部を有している。ボルト２５８は、外側アーム３００を通じて延び、ナット３１４を受容している。このように、マウント２２０は、外側アーム３００に対して水平方向に回転調整可能である。内側アーム２９８は、該内側アームが外側アーム３００およびマウント・ブラケット３０２の両方に対して水平方向に回転
調整可能であるのと同様の方法で、外側アーム３００およびマウント・ブラケット３０２に各端部で取り付けられている。内側アーム２９８は、上方に向けられた穴３１８を備えた遠位端３１６を有している。軸３２０は、穴３１８内に嵌合したブッシング３２２に受容され、そこから上方に延びている。外側アーム３００の近位端３２６における穴３２４は、ブッシング３２８内に軸３２０を受容する、下方に向けられた拡大部を有している。ボルト３３０は、外側アーム３００を通じて延び、ナット３３２を受容している。
【００３７】
マウント・ブラケット・アセンブリ３０２は、図１３に図示され、概して、ブラケット部３３４およびハンガー板３３６を備えている。ハンガー板３３６は、一対の内方に面した溝３４０を備えた縦方向凹部３３８を有している。ハンガー板３３６は、開孔３４４を通じて挿入される締結具３４２を使用して、壁のような固定構造に固定されることが可能である。随意に、ネジ・カバー３４６は、横方向に突出したフランジ３４８をハンガー板３３６の内側溝３５０に係合することによって、審美的な目的のために締結具３４２を覆うために使用されることが可能である。さらに、端部キャップ３５２は、設置の外観をさらに向上させるように、ハンガー板３３６の端部を覆うために使用されることが可能である。ブラケット部３３４をハンガー板３３６に固定するために、また、ブラケット部３３４の位置がハンガー板３３６に沿って縦方向に任意の位置に調整されることを可能にするために、ブラケット部３３４は、溝３４０に摺動係合する一対の凹部３５４を有している。一旦、ブラケット部が所望の位置になれば、ブラケット部３３４を所定の位置に固定するために固定ネジ３５６が締められる。
【００３８】
内側アーム２９８のような揺動アームは、内側アーム２９８を外側アーム３００に接続するために上述したのと同一の構成によってマウント・ブラケット３３４に固定されることが可能である。ブラケット部３３４は、上方に向けられた穴３５８を有している。軸３６０は、穴３５８内に嵌合したブッシング３６２に受容され、そこから上方に延びている。内側アーム２９８の近位端３６６における穴３６４は、ブッシング３６８内に軸３６０を受容する、下方に向けられた拡大部を有している。ボルト３７０は、内側アーム２９８およびブラケット部３３４を通じて延び、ナット３７２を受容している。
【図面の簡単な説明】
【００３９】
【図１】図１は、本発明のフラットパネル表示装置およびマウント・システムの後方斜視図。
【図２】図１に図示された表示装置およびマウント・システムの分解図。
【図２Ａ】フラットパネル表示装置をマウント・システムに取り付けるためのアダプタ板の斜視図。
【図３】マウント・システムのマウント部の内側からの分解斜視図。
【図３Ａ】マウント・システムのマウント部の外側からの分解斜視図。
【図４】マウント部の断面図。
【図５】マウントの外側案内部の分解斜視図。
【図６】フラットパネル表示装置およびマウントの側面図（実際の重心と、当該側面図上に示された仮想重心を有する）。
【図７】マウントの外側案内部の代替の実施の形態の分解斜視図。
【図８】マウント・システムのマウント・ブラケット部の分解図。
【図９】摩擦調整の特徴を備えた本発明の代替の実施の形態の斜視図。
【図１０】図９に図示された実施の形態の分解図。
【図１１】図９の実施の形態の装置インタフェースおよび案内構造部の部分側面図。
【図１２】図９の実施の形態の装置インタフェースおよび案内構造部の部分斜視図。
【図１３】本発明の実施の形態のマウント・ブラケット・アセンブリの部分分解斜視図。
【図１】
2008546034.tif 000003
【図２】
2008546034.tif 000004
【図２Ａ】
2008546034.tif 000005
【図３】
2008546034.tif 000006
【図３Ａ】
2008546034.tif 000007
【図４】
2008546034.tif 000008
【図５】
2008546034.tif 000009
【図６】
2008546034.tif 000010
【図７】
2008546034.tif 000011
【図８】
2008546034.tif 000012
【図９】
2008546034.tif 000013
【図１０】
2008546034.tif 000014
【図１１】
2008546034.tif 000015
【図１２】
2008546034.tif 000016
【図１３】
2008546034.tif 000017